【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
複数の光電変換装置と、前記複数の光電変換装置が出力する信号が入力されるデータ処理回路と、を有する光電変換システムであって、
前記複数の光電変換装置は互いに異なる半導体基板に設けられ、
前記複数の光電変換装置の各々は、
画素信号を出力する画素出力回路と、
参照信号を生成する信号生成回路と、
前記画素信号を処理する信号処理回路と、
複数の出力回路と、
第１の転送線と、
第２の転送線と、を有し、
前記画素出力回路が、信号値の異なる第１および第２の画素信号を出力し、
前記信号処理回路に前記第１および第２の画素信号が入力されるとともに、
前記信号処理回路は、前記複数の出力回路のうちの第１の出力回路の入力ノードに前記第１の転送線を介して電気的に接続され、
さらに、前記信号処理回路は、前記複数の出力回路のうちの第２の出力回路の入力ノードに、前記第２の転送線によって電気的に接続され、
前記第１の出力回路と前記第２の出力回路の各々の前記入力ノードに前記参照信号に基づく信号が共通に入力されることを特徴とする光電変換システム。
【請求項２】
複数の光電変換装置と、前記複数の光電変換装置が出力する信号が入力されるデータ処理回路と、を有する光電変換システムであって、
前記複数の光電変換装置は互いに異なる半導体基板に設けられ、
前記複数の光電変換装置の各々は、
各々が画素信号を出力する複数の画素出力回路と、
参照信号を生成する信号生成回路と、
各々が前記画素信号を処理する複数の信号処理回路と、
複数の出力回路とを有し、
前記複数の画素出力回路は、前記画素出力回路が複数列に設けられ、
前記複数の信号処理回路の各々は、前記画素出力回路の列に対応して設けられ、
前記複数の信号処理回路の一部が、前記画素信号に基づく信号を前記複数の出力回路のうちの第１の出力回路の入力ノードに入力し、
前記複数の信号処理回路の他の一部が、前記画素信号に基づく信号を、前記複数の出力回路のうちの第２の出力回路の入力ノードに入力し、
前記第１の出力回路と前記第２の出力回路の各々の前記入力ノードに前記参照信号に基づく信号が共通に入力されることを特徴とする光電変換システム。
【請求項３】
前記画素出力回路と前記信号生成回路はともに、同じ回路構成のソースフォロワ回路を有し、
前記画素出力回路の前記ソースフォロワ回路は前記画素信号を出力し、
前記信号生成回路の前記ソースフォロワ回路は前記参照信号を出力することを特徴とする請求項１または２に記載の光電変換システム。
【請求項４】
前記画素出力回路と前記信号生成回路に、共通の電圧が入力され、
前記画素出力回路の有する前記ソースフォロワ回路は第１トランジスタを有し、
前記信号生成回路の有する前記ソースフォロワ回路は第２トランジスタを有し、
前記画素出力回路は入射光に基づく電荷を生成する光電変換部と、第３トランジスタと、をさらに有し、
前記第１トランジスタは、前記電荷が入力される第１入力ノードと、前記電圧が入力される第１の主ノードと、前記第１入力ノードの電位に基づいて前記画素信号を出力する第２の主ノードと、を有し、
前記第３トランジスタは、前記第１入力ノードにリセット電位を入力するトランジスタであり、
前記第２トランジスタは、前記リセット電位に相当する信号が入力される第２入力ノードと、前記電圧が入力される第３の主ノードと、前記リセット電位に相当する信号に基づいて前記参照信号を出力する第４の主ノードと、を有することを特徴とする請求項３に記載の光電変換システム。
【請求項５】
前記光電変換装置は、さらに前記第１トランジスタと前記第２トランジスタに電流を入力する電流源を有し、
前記第２の主ノードと前記第４の主ノードとに、前記電流源を介して共通の電圧が入力されることを特徴とする請求項４に記載の光電変換システム。
【請求項６】
前記第１トランジスタと前記第２トランジスタの、チャネル幅およびチャネル長がそれぞれ略同じであることを特徴とする請求項４または５に記載の光電変換システム。
【請求項７】
前記信号生成回路は、前記第２入力ノードに入力する前記信号の信号値を異ならせることによって、信号値の異なる前記参照信号を出力することを特徴とする請求項４〜６のいずれかに記載の光電変換システム。
【請求項８】
前記第１の出力回路の前記入力ノードと、前記第２の出力回路の前記入力ノードとを短絡させたノードに、前記参照信号に基づく信号が入力されることを特徴とする請求項１〜７のいずれかに記載の光電変換システム。
【請求項９】
前記データ処理回路が、前記第１の出力回路と前記第２の出力回路のそれぞれが出力する前記参照信号に基づく信号を保持するメモリを有し、
前記データ処理回路が、前記メモリの保持した信号と、前記画素信号に基づく信号と、の差の信号を生成する演算回路を有することを特徴とする請求項１〜８のいずれかに記載の光電変換システム。
【請求項１０】
前記データ処理回路が、複数のメモリを有し、
前記複数のメモリの各々が、前記複数の光電変換装置の各々の、前記第１の出力回路と前記第２の出力回路のそれぞれが出力する前記参照信号に基づく信号を保持することを特徴とする請求項９に記載の光電変換システム。
【請求項１１】
複数の光電変換装置と、前記複数の光電変換装置が出力する信号が入力されるデータ処理回路と、を有する光電変換システムであって、
前記複数の光電変換装置は互いに異なる半導体基板に設けられ、
前記複数の光電変換装置の各々は
各々が画素信号を出力する複数の画素出力回路と、
前記画素信号が入力される入力ノードを各々が有するとともに、各々が前記画素信号を処理する複数の信号処理回路と、
参照信号を生成する信号生成回路と、を有し、
前記複数の信号処理回路の各々の前記入力ノードに前記参照信号に基づく信号が共通に入力されることを特徴とする光電変換システム。
【請求項１２】
前記画素出力回路と前記信号生成回路はともに、同じ回路構成のソースフォロワ回路を有し、
前記画素出力回路の前記ソースフォロワ回路は前記画素信号を出力し、
前記信号生成回路の前記ソースフォロワ回路は前記参照信号を出力することを特徴とする請求項１１に記載の光電変換システム。
【請求項１３】
前記画素出力回路と前記信号生成回路に、共通の電圧が入力され、
前記画素出力回路の有する前記ソースフォロワ回路は第１トランジスタを有し、
前記信号生成回路の有する前記ソースフォロワ回路は第２トランジスタを有し、
前記画素出力回路は入射光に基づく電荷を生成する光電変換部と、第３トランジスタと、をさらに有し、
前記第１トランジスタは、前記電荷が入力される第１入力ノードと、前記電圧が入力される第１の主ノードと、前記第１入力ノードの電位に基づいて前記画素信号を出力する第２の主ノードと、を有し、
前記第３トランジスタは、前記第１入力ノードにリセット電位を入力するトランジスタであり、
前記第２トランジスタは、前記リセット電位に相当する信号が入力される第２入力ノードと、前記電圧が入力される第３の主ノードと、前記リセット電位に相当する信号に基づいて前記参照信号を出力する第４の主ノードと、を有することを特徴とする請求項１２に記載の光電変換システム。
【請求項１４】
前記光電変換装置は、さらに前記第１トランジスタと前記第２トランジスタに電流を入力する電流源を有し、
前記第２の主ノードと前記第４の主ノードとに、前記電流源を介して共通の電圧が入力されることを特徴とする請求項１３に記載の光電変換システム。
【請求項１５】
前記第１トランジスタと前記第２トランジスタの、チャネル幅およびチャネル長がそれぞれ同じであることを特徴とする請求項１３または１４に記載の光電変換システム。
【請求項１６】
前記信号生成回路は、前記第２入力ノードに入力する前記信号の信号値を異ならせることによって、信号値の異なる前記参照信号を出力することを特徴とする請求項１３〜１５のいずれかに記載の光電変換システム。
【請求項１７】
前記複数の画素出力回路は、前記画素出力回路が複数列に設けられ、
前記複数の信号処理回路の各々は、前記画素出力回路の列に対応して設けられていることを特徴とする請求項１〜１６のいずれかに記載の光電変換システム。
【手続補正２】
【補正対象書類名】明細書
【補正対象項目名】０００５
【補正方法】変更
【補正の内容】
【０００５】
本発明は上記の課題を解決するために為されたものであり、一の態様は、複数の光電変換装置と、前記複数の光電変換装置が出力する信号が入力されるデータ処理回路と、を有する光電変換システムであって、前記複数の光電変換装置は互いに異なる半導体基板に設けられ、前記複数の光電変換装置の各々は、画素信号を出力する画素出力回路と、参照信号を生成する信号生成回路と、前記画素信号を処理する信号処理回路と、複数の出力回路と、第１の転送線と、第２の転送線と、を有し、前記画素出力回路が、信号値の異なる第１および第２の画素信号を出力し、前記信号処理回路に前記第１および第２の画素信号が入力されるとともに、前記信号処理回路は、前記複数の出力回路のうちの第１の出力回路の入力ノードに前記第１の転送線を介して電気的に接続され、さらに、前記信号処理回路は、前記複数の出力回路のうちの第２の出力回路の入力ノードに、前記第２の転送線によって電気的に接続され、前記第１の出力回路と前記第２の出力回路の各々の前記入力ノードに前記参照信号に基づく信号が共通に入力されることを特徴とする光電変換システムである。